(57)【要約】【課題】様々な筐体デザインの端末装置に適用でき、筺体に対するストラップ紐の取り付けを容易にし、ストラップが取り付け状態から抜け出ることを抑制する。【解決手段】開口部１０が設けられた筐体２と、筐体２に内嵌されて開口部１０に面するヒンジキャップ５とを備えた携帯端末装置であって、ヒンジキャップ５は、開口部１０に対向した位置からヒンジキャップ５の回転に伴い開口部１０に沿って移動するカバー部１７を有し、カバー部１７には、ストラップ紐と係合可能な係合部２１を設ける。【選択図】図６
2007089880.tif 000002
【特許請求の範囲】
【請求項１】
開口部が設けられた筐体と、前記筐体に配設されて、ストラップ紐が取り付け可能な取付手段と、を備えた携帯端末装置において、
前記取付手段は、前記筐体に内嵌されて前記開口部に面する回転体を備え、
前記回転体は、前記開口部に対向した位置から当該回転体の回転に伴い前記開口部に沿って移動する移動部位を有し、
前記移動部位には、ストラップ紐と係合可能な係合部が設けられている
ことを特徴とする携帯端末装置。
【請求項２】
前記ストラップ紐は、環状に構成される環状部を有し、当該環状部が前記係合部に挿通されることにより前記係合部と係合される
ことを特徴とする請求項１記載の携帯端末装置。
【請求項３】
前記係合部は、内周側へ突出する突出部又は外周側に窪む凹部を内周面に有する
ことを特徴とする請求項１又は２記載の携帯端末装置。
【請求項４】
前記係合部は、前記移動部位に前記回転方向に延びるように形成されて、前記ストラップ紐が挿通可能な切欠溝を有して構成されている
ことを特徴とする請求項１〜３のいずれか１つに記載の携帯端末装置。
【請求項５】
前記切欠溝は、長さ方向の中間位置に段差部を有して形成される
ことを特徴とする請求項４記載の携帯端末装置。
【請求項６】
前記切欠溝は、前記回転方向の左右方向に間隔を隔てて前記移動部位に複数配設され、
前記開口部は、同左右方向の開口幅が左右の前記切欠溝の間隔と略同一となるように形成されている
ことを特徴とする請求項４又は５記載の携帯端末装置。
【請求項７】
前記回転体の回転を規制するストッパ手段を備え、
前記係合部は、前記回転体が前記ストッパ手段によって回転が規制されるまで回転されたとき、ストラップ紐との係合解除が筐体の内面との間で抑制されるように構成されている
ことを特徴とする請求項１〜６のいずれか１つに記載の携帯端末装置。
【請求項８】
前記筐体を折り畳み可能に連結するヒンジ部を有し、該ヒンジ部は前記筺体に一体的に設けられたヒンジ収納部と、該ヒンジ収納部内に配置されたヒンジユニットとを有し、
前記ヒンジ収納部は、前記開口部を有すると共に、
前記回転体は、前記筺体に内嵌されて前記ヒンジ収納部の開口を塞いで前記ヒンジユニットを隠すヒンジキャップである
ことを特徴とする請求項１〜７のいずれか１つに記載の携帯端末装置。
【請求項９】
ストラップ紐を筐体に設けられた開口部を通して筐体内の回転体に設けられた係合部に係合させ、前記回転体を回転させることにより前記ストラップ紐を前記筐体に取り付ける
ことを特徴とするストラップ紐の取り付け方法。
【発明の詳細な説明】
【技術分野】
【０００１】
本発明は、携帯電話機、ＰＨＳ等の移動体通信機、ＰＤＡ（Personal Digital Assistant）、デジタルカメラ、携帯ラジオ、ＭＤプレーヤ、ＣＤプレーヤ、カセットテープレコーダといった携帯端末装置に関するものであり、特にヒンジ連結部を備えた折り畳み構造を有する携帯端末装置に好適である。
【背景技術】
【０００２】
一般に、携帯電話機、ＰＨＳ等の移動体通信機、ＰＤＡ、デジタルカメラ、携帯ラジオ、ＭＤプレーヤ、ＣＤプレーヤ、カセットテープレコーダといった携帯端末装置は、ストラップ紐を取り付け得るよう携帯端末装置を構成する筐体に取付孔を備えている。特に移動体通信機やＰＤＡの携帯端末装置は、筐体の一面から外方へ突出するよう、取付孔を備えた突出部を設けており、該突出部は、アンテナを取り付けるアンテナ取付部の突状部分と対応して、携帯端末装置を机上等に置く際のガタつきを防止するようにしている。
【０００３】
例えば、携帯電話機に設けられた一般的なストラップ紐の取付構造としては特許文献１がある。
【特許文献１】特開２００３−１８９４８２号公報
【発明の開示】
【発明が解決しようとする課題】
【０００４】
しかしながら、携帯端末装置に取付孔の突出部を設けると、近年要求されているような個性のあるデザインに対して制約を受けるといった問題があった。また、携帯端末装置をポケット等に収納した状態からストラップ紐を引っ張って取り出す際には、取付孔の突出部が引っ掛かり、ポケットからスムーズに取り出すことができないというような問題があった。更に、取付孔の配置場所によってはストラップ紐を取付孔に容易に通すことができないという問題があった。
【０００５】
本発明は、斯かる実情に鑑みてなしたもので、様々な筐体デザインの携帯端末装置に適用でき、筺体に対するストラップ紐の取り付けが容易であり、ストラップが取り付け状態から抜け出ることを抑制できる携帯端末装置及びストラップ紐の取付方法を提供しようとするものである。
【課題を解決するための手段】
【０００６】
本発明は、開口部が設けられた筐体と、前記筐体に配設されて、ストラップ紐が取り付け可能な取付手段と、を備えた携帯端末装置において、
前記取付手段は、前記筐体に内嵌されて前記開口部に面する回転体を備え、
前記回転体は、前記開口部に対向した位置から当該回転体の回転に伴い前記開口部に沿って移動する移動部位を有し、
前記移動部位には、ストラップ紐と係合可能な係合部が設けられている
ことを特徴とする携帯端末装置、に係るものである。
【０００７】
前記携帯端末装置において、前記ストラップ紐は、環状に構成される環状部を有し、当該環状部が前記係合部に挿通されることにより前記係合部と係合されることは好ましい。
【０００８】
また、前記携帯端末装置において、前記係合部は、内周側へ突出する突出部又は外周側に窪む凹部を内周面に有することは好ましい。
【０００９】
また、前記携帯端末装置において、前記係合部は、前記移動部位に前記回転方向に延びるように形成されて、前記ストラップ紐が挿通可能な切欠溝を有して構成されていることは好ましい。
【００１０】
また、前記携帯端末装置において、前記切欠溝は、長さ方向の中間位置に段差部を有して形成されることは好ましい。
【００１１】
また、前記携帯端末装置において、前記切欠溝は、前記回転方向の左右方向に間隔を隔てて前記移動部位に複数配設され、
前記開口部は、同左右方向の開口幅が左右の前記切欠溝の間隔と略同一となるように形成されていることは好ましい。
【００１２】
また、前記携帯端末装置において、前記回転体の回転を規制するストッパ手段を備え、
前記係合部は、前記回転体が前記ストッパ手段によって回転が規制されるまで回転されたとき、ストラップ紐との係合解除が筐体の内面との間で抑制されるように構成されていることは好ましい。
【００１３】
また、前記携帯端末装置において、前記筐体を折り畳み可能に連結するヒンジ部を有し、該ヒンジ部は前記筺体に一体的に設けられたヒンジ収納部と、該ヒンジ収納部内に配置されたヒンジユニットとを有し、
前記ヒンジ収納部は、前記開口部を有すると共に、
前記回転体は、前記筺体に内嵌されて前記ヒンジ収納部の開口を塞いで前記ヒンジユニットを隠すヒンジキャップであることは好ましい。
【００１４】
更に、本発明は、ストラップ紐を筐体に設けられた開口部を通して筐体内の回転体に設けられた係合部に係合させ、前記回転体を回転させることにより前記ストラップ紐を前記筐体に取り付けることを特徴とするストラップ紐の取り付け方法、に係るものである。
【発明の効果】
【００１５】
本発明によれば、様々な筐体デザインの携帯端末装置に適用することができ、筺体に対するストラップ紐の取り付けが容易であり、ストラップが取り付け状態から抜け出ることを抑制できる携帯端末装置及びストラップ紐の取付方法を提供することができる。
【発明を実施するための最良の形態】
【００１６】
以下、本発明の実施の形態例を添付図面を参照して説明する。
【００１７】
図１〜図１４は本発明を実施する形態の一例における携帯端末装置及びストラップ紐の取付方法を示すものである。
【００１８】
本発明の携帯端末装置は、携帯電話機、ＰＨＳ等の移動体通信機、デジタルカメラ、ＰＤＡ、携帯ラジオ、ＭＤプレーヤ、ＣＤプレーヤ、カセットテープレコーダ等からなるものであり、図１、図２に示す如く、１は携帯端末装置の一例である折畳式の携帯電話機の筐体であり、折畳式の携帯電話機は、筐体１を、操作キーが配列される第一のケースとしてのキー側の筐体２と、液晶画面が設けられる第二のケースとしての表示側の筐体３とに分割し、それらを互いにヒンジ部としてのヒンジユニット４を介して回動自在に組み付け、折り畳み可能としてなる構成を有している。また、ヒンジユニット４の外側には、ヒンジユニット４を隠すようにした回転体としてのヒンジキャップ５を内嵌している。
【００１９】
次に本発明に係るストラップ紐の取付構造及びストラップ紐の取付方法について詳述する。
【００２０】
ストラップ紐Ｓの取付構造は、キー側の筐体２と、キー側の筐体２に内嵌される回転体としてのヒンジキャップ５とで構成されている。
【００２１】
キー側の筐体２は、図１、図２に示す如く、表示側の筐体３との連結部側における両肩位置に、ヒンジユニット４を収納するヒンジ部としての筒状のヒンジ収納部６を有しており、ヒンジ収納部６の内周面には、図２のＡ−Ａ方向矢視図である図８、及び図２のＢ−Ｂ方向矢視図である図９に示す如く、ヒンジユニット４を固定する固定溝７を形成しており、ヒンジ収納部６の外周面と内周面の間には、周方向に沿うよう所定長さで延在するヒンジキャップ５用の回転溝８を備えると共に、回転溝８と同周上に位置して周回するヒンジキャップ５用の脱落防止溝９を形成している。ここで、脱落防止溝９の所定位置（図９では下方位置）には、内周面に沿って位置し且つ内周面から中心方向に突出するストッパ手段としての第一ストッパ部１３及び第二ストッパ部１４を備えている。
【００２２】
前記ヒンジ収納部６の外周面には、図１、図２、図６、図８に示す如く、ストラップ紐Ｓの引掛けを行うための外方から回転溝８へ向かって貫通した例えば矩形形状（図６参照）の開口部１０を形成している。
【００２３】
前記ヒンジキャップ５は、図１〜図４に示す如く、ヒンジ収納部６のヒンジユニット４を取り付ける開口を塞ぎ、ヒンジユニット４を隠すようにした円盤状のキャップ１５を備えており、キャップ１５の外面には回転用の凹部１６を形成し、キャップ１５の周方向上縁部には、キャップ１５の回転軸線と平行に延在し且つ前記ヒンジ収納部６の回転溝８内に配置されるカバー部１７（移動部位）を備え、更に、キャップ１５の周方向両側縁部及び下縁部には、外径方向に突出し且つ脱落防止溝９内に摺動可能に配置される脱落防止用突起１８，１９を備えている。前記キャップ１５の裏面側には、図３に示す如く前記ヒンジユニット４の側端面が位置しており、前記ヒンジユニット４は、キー側の筐体２に固定する第一部４ａと、表示側の筐体３に固定する第二部４ｂとを備えて回転可能に構成されている。
【００２４】
前記ヒンジキャップ５のカバー部１７には、図４、図５、図１０に示す如く、キャップ１５のカバー部１７の延在方向に沿うよう溝ライン２０を形成し、該溝ライン２０の一部には、ヒンジキャップ５の回転方向（図４、図６では時計方向であり、図８では図２のＡ−Ａ方向断面図であるために反時計方向）の前方に向かって突出する係合部２１を備え、溝ライン２０と係合部２１との間には、差込口を大きく形成すると共に上方から周方向へ向かうよう、溝ライン２０の側面から底面まで滑らかな斜め形状にしたガイド溝２２を備えている。
【００２５】
前記係合部２１には、前記ヒンジキャップ５の回転方向の左右方向（カバー部１７の延在方向）に間隔を隔てた２つの切欠溝１１，１２を形成し、該切欠溝１１，１２にストラップ紐Ｓの環状部Ｓａを挿通させるようにしている。また、図５に示す切欠溝１１，１２は、長さ方向の中間位置に段差部１１ａ，１２ａを設けてクランク状に形成してあり、この形状によって切欠溝１１，１２に挿入したストラップ紐Ｓが抜け出し難い構造になっている。また、上記係合部２１の切欠溝１１，１２の先端部にはＣ面処理部１１ｂ，１２ｂを設けてストラップ紐Ｓを挿入し易い形状としている。
【００２６】
また、係合部２１には、図１０に示されるように、回転方向の先端部の内周面に、内周側に突出する突出部２１ｃが設けられており、この突出部２１ｃにより、ストラップ紐Ｓの環状部Ｓａが係合部２１と係合した後に抜け外れることが抑制される。なお、突出部２１ｃに代わって外周側に窪む凹部を内部面に設けてもよい。
【００２７】
図６に示した前記開口部１０は略矩形形状を有しており、開口部１０は、ヒンジキャップ５の回転方向に対して左右方向の開口幅Ｌ１は、前記係合部２１に設けた左右の切欠溝１１，１２の間隔Ｌ２（図７参照）と略同一か、或いは左右の切欠溝１１，１２の間隔Ｌ２より僅かに大きい間隔としている。
【００２８】
また、前記開口部１０は、図７に示す如く、ヒンジキャップ５の回転方向後方の開口幅Ｌ３に対して回転方向前方の開口幅Ｌ４が狭くなるようにして、この時の前方の開口幅Ｌ４が前記左右の切欠溝１１，１２の間隔Ｌ２より僅かに大きい間隔になるようにしており、これによって、開口部１０の回転方向前方の開口幅Ｌ４に合わせてストラップ紐Ｓの環状部Ｓａを挿入すると、ストラップ紐Ｓの拡幅方向の動きを押えて、ストラップ紐Ｓを切欠溝１１，１２に容易に挿入できるようにしている。
【００２９】
一方、ヒンジキャップ５の下端に位置する脱落防止用突起１９は、図１３に示す如く、ヒンジキャップ５の回転方向に向かって突出するストッパ手段の撓み部２３を備えるよう、周方向に延在する切欠き２４を備えている。
【００３０】
以下、本発明の実施の形態の一例の作用を説明する。
【００３１】
ストラップ紐Ｓを折畳式の携帯電話機に取り付ける際には、ヒンジキャップ５のカバー部１７をヒンジ収納部６の回転溝８に挿入する。このとき、図８に示す如く、カバー部１７の上端が回転溝８の上部右端８ａに当接し、且つ図９に示す如く脱落防止用突起１９が第一ストッパ部１３の左側に当接した状態になることにより、ヒンジキャップ５の回転方向位置が固定され、この位置決めにより、固定カバー部材１７の係合部２１が開口部１０に対向した位置に配置されて、前記係合部２１に形成した切欠溝１１，１２が図６、図７に示すようにヒンジ収納部６の開口部１０の位置に一致して現われるようになっている。
【００３２】
この状態で、ストラップ紐Ｓの環状部Ｓａを、図５、図８、図１０に示す如く開口部１０に挿入して係合部２１の切欠溝１１，１２に挿入・係止させる。
【００３３】
次に、ヒンジキャップ５を図８の矢印方向に回転させ、図１１に示す如くカバー部１７の下端が回転溝８の下端８ｂに当接した状態にする。これにより、前記ストラップ紐Ｓの環状部Ｓａは、前記係合部２１に係止された状態で回転溝８の内奥部まで引き込まれる。この時、図１０のガイド溝２２と係合部２１の先端部との間隔が、前記回転溝８の内面で閉塞されることにより、係合部２１に対するストラップ紐Ｓの係合が解除されることは確実に抑制される。
【００３４】
一方、前記したヒンジキャップ５の回転時には、図９のヒンジキャップ５の脱落防止用突起１８がキー側の筐体２の脱落防止溝９を摺動し、ヒンジキャップ５の下端に位置する脱落防止用突起１９は、撓み部２３が切欠き２４側へ撓みながら第一ストッパ部１３及び第二ストッパ部１４を乗り越えて通過して図１２の状態になる。この時、前記ヒンジキャップ５の矢印方向への更なる回転は、前記図１１に示したようにカバー部１７の下端が回転溝８の下端８ｂに当接することで規制され、また、前記ヒンジキャップ５の矢印方向と反対方向への回転は、前記図１２に示したように脱落防止用突起１９が第二ストッパ部１４に当接することで規制されるので、ストラップ紐Ｓを係合したカバー部１７の係合部２１は回転溝８の内奥部に確実に位置決めされる。従って、ストラップ紐Ｓは係合部２１に確実に係止されることになる。
【００３５】
ここで、折畳式の携帯電話機におけるキー側の筐体２の肩部分にストラップ紐Ｓを取り付けた際には、表示側の筐体３と干渉することはなく、キー側の筐体２と表示側の筐体３を開いた場合には、図１４に示す如く、ストラップ紐Ｓの取付部分は隙間Ｈを隔てて位置し、キー側の筐体２と表示側の筐体３を閉じた場合には、図２に示す如く、ストラップ紐Ｓの取付部分は外部に位置する。
【００３６】
このように、本発明の形態例によれば、ストラップ紐Ｓの取付構造により、キー側の筐体２の肩部分にストラップ紐Ｓを取り付けるので、携帯端末装置の表裏面もしくは側面に取付孔の突出部を設けることを不要にして筐体１を簡単な形状にし、ガタつきを防止すると共に、様々な筐体デザインに対応し得るようにしてデザイン性を向上させることができる。また、携帯端末装置の筐体１を簡単な形状にし得るので、携帯端末装置をポケット等に収納した状態からストラップ紐Ｓを引っ張って取り出す場合であっても、ポケット等からスムーズに取り出すことができる。
【００３７】
更に、ヒンジキャップ５（回転体）の回転によりストラップ紐Ｓをキー側の筐体２に取り付け得るので、ストラップ紐Ｓの取り付けが、取付場所によって影響を受けることがなく、容易に取り付けることができる。また、係合部２１に切欠溝１１，１２を設けて該切欠溝１１，１２にストラップ紐Ｓの環状部Ｓａを挿入して取り付けるようにしたので、取り付け操作が非常に容易でしかも確実に取付ることができ、更に、ガイド溝２２は、差込口を大きく形成すると共に上方から周方向へ向かうよう、溝ライン２０の側面から底面まで滑らかな斜め形状を備えるので、ストラップ紐Ｓの環状部Ｓａを容易に差し込んで係止することができる。
【００３８】
ストラップ紐Ｓの取付構造には、ヒンジキャップ５の回転を一方へ規制する第一ストッパ部１３及び第二ストッパ部１４を備えるので、ヒンジキャップ５の位置決めを可能にして係合部２１を開口部１０へ好適に位置決めすることができる。
【００３９】
ストラップ紐Ｓの取付構造は、筐体１を折り畳み可能するよう筐体１にヒンジユニット４を取り付けるヒンジ収納部６に開口部１０を形成したので、ストラップ紐Ｓを、キー側の筐体２の肩部分であるヒンジ収納部６に取り付け、デザイン性を一層向上させることができる。また、キー側の筐体２の両肩に位置する左右にヒンジ収納部６を備えるので、ストラップ紐Ｓを左右自由に取り付けることができる。更に、ストラップ紐Ｓはキー側の筐体２のヒンジ収納部６に取り付けて、表示側の筐体３に干渉することなく配置できるので、ストラップ紐Ｓを安定して吊り下げることができる。
【００４０】
ストラップ紐Ｓの取付構造において、ストラップ紐Ｓをガイドするヒンジキャップ５はヒンジユニット４を隠し得るので、一層デザイン性を高めることができる。
【００４１】
なお、本発明の携帯端末装置及びストラップ紐の取付方法は、上述の図示例にのみ限定されるものではなく、ストラップ紐を取り付ける筐体は折畳式のものに限定されるものではないこと、その他、本発明の要旨を逸脱しない範囲内において種々変更を加え得ることは勿論である。
【図面の簡単な説明】
【００４２】
【図１】本発明を実施する形態の一例においてストラップ紐を取り付ける折畳式の携帯電話機の筐体を開いた状態を示す斜視図である。
【図２】図１の折畳式の携帯電話機の筐体を折畳んだ状態を示す平面図である。
【図３】ヒンジキャップとヒンジユニットの関係を示す概略図である。
【図４】ヒンジキャップの斜視図である。
【図５】ストラップ紐の環状部を切欠溝に挿入してヒンジキャップを係合部に係合する状態を示す斜視図である。
【図６】ヒンジ収納部に形成した開口部とヒンジキャップとの関係を示す斜視図である。
【図７】開口部の形状例を示す説明図である。
【図８】図２をＡ−Ａ方向から見た断面図であり、係合部にストラップを係合させる状態の説明図である。
【図９】図２をＢ−Ｂ方向から見た断面図であり、係合部にストラップを契合する状態の時の脱落防止用突起の位置を示す説明図である。
【図１０】係合部にストラップ紐を係合している状態のカバー部の断面図である。
【図１１】図２をＡ−Ａ方向から見た断面図であり、ストラップが係合した係合部を回転溝の内奥部に引き込んだ状態を示す説明図である。
【図１２】図２をＢ−Ｂ方向から見た断面図であり、係合部を回転溝の内奥部に引き込んだ状態の時の脱落防止用突起の位置を示す説明図である。
【図１３】脱落防止用突起の詳細説明図である。
【図１４】ストラップ紐を取り付けた状態でキー側の筐体と表示側の筐体を開いた状態の一部を示す正面図である。
【符号の説明】
【００４３】
１  筐体
２  キー側の筐体
４  ヒンジユニット（ヒンジ部）
５  ヒンジキャップ（回転体）
６  ヒンジ収納部
１０  開口部
１１，１２    切欠溝
１１ａ，１２ａ        段差部
１３  第一ストッパ部（ストッパ手段）
１４  第二ストッパ部（ストッパ手段）
１７  カバー部（移動部位）
２０  溝ライン（凹部）
２１  係合部
Ｌ１  開口幅
Ｌ２  間隔
Ｓ    ストラップ紐
Ｓａ  環状部
【図１】
2007089880.tif 000003
【図２】
2007089880.tif 000004
【図３】
2007089880.tif 000005
【図４】
2007089880.tif 000006
【図５】
2007089880.tif 000007
【図６】
2007089880.tif 000008
【図７】
2007089880.tif 000009
【図８】
2007089880.tif 000010
【図９】
2007089880.tif 000011
【図１０】
2007089880.tif 000012
【図１１】
2007089880.tif 000013
【図１２】
2007089880.tif 000014
【図１３】
2007089880.tif 000015
【図１４】
2007089880.tif 000016